(57)【要約】【課題】豊富な種類のタイルを十分に検討してデザインすることができるタイルユニットの製造方法を提供する。【解決手段】所定配列に並べられたタイルを連結手段で連結してなるタイルユニットの製造方法であって、外周形状と表面形状と表面色とで特定されるタイルと、そのタイルの配列位置とからなるデザイン情報を作成するデザイン工程と、デザイン情報で指定されたタイルを指定位置に並べて連結手段で連結する製造工程とを有するものであり、デザイン工程は、ＰＣの画像表示装置の画面１に、外周形状を表したタイル輪郭図２によってタイルユニットの配列を表示するシート表示部３と、タイルの表面形状と表面色の見本を一覧表示すると共にそれらから選択可能な一覧表示選択部４とを表示し、シート表示部３のタイル輪郭図２に一覧表示選択部４で選択したタイルの表面形状と表面色を表示してデザイン情報を作成する。【選択図】        図１
2019079095.tif 000002
【特許請求の範囲】
【請求項１】
目地幅相当の間隔を開けて所定の配列に並べられた所定数のタイルと、
前記所定数のタイルをシート状に連結する連結手段と、からなるタイルユニットの製造方法であって、
外周形状と表面形状と表面色とで特定されるタイルと、そのタイルの前記配列内の位置と、からなるデザイン情報を作成するデザイン工程と、
前記デザイン情報で指定されたタイルを指定された位置に並べて前記連結手段で連結する製造工程と、を有するものであり、
前記デザイン工程は、
コンピュータの画像表示装置の画面に、正面視の外周形状を線図により表したタイル輪郭図によって前記タイルユニットのタイルの配列を表示するシート表示部と、タイルの色付き表面形状の見本又は表面形状と表面色のそれぞれの見本を複数種類一覧表示すると共にそれらから選択可能な一覧表示選択部と、を表示し、
前記シート表示部の前記タイル輪郭図の全てに、前記一覧表示選択部で選択したタイルの表面形状と表面色を表示してデザイン情報を作成するものであることを特徴とするタイルユニットの製造方法。
【請求項２】
前記画像表示装置の画面に、前記タイルユニットを複数シート連結した状態の連結図を表示し得るようにしたことを特徴とする請求項１記載のタイルユニットの製造方法。
【請求項３】
前記デザイン工程で作成したデザイン情報を前記製造工程の実施主体にインターネット回線を介して送信し得るようにしたことを特徴とする請求項１又は２記載のタイルユニットの製造方法。
【発明の詳細な説明】
【技術分野】
【０００１】
本発明は、所定数のタイルをクラフト紙などの連結手段でシート状に連結してなるタイルユニットの製造方法に関する。
【背景技術】
【０００２】
目地幅相当の間隔を開けて所定の配列に並べられた所定数のタイルを、クラフト紙や樹脂製ネットなどの連結手段でシート状に連結してなるタイルユニットがある。
かかるタイルユニットは、所定数のタイルをまとめて貼り付けることができるため、タイルを一枚ずつ現場で貼り付ける場合に比べて作業性が良く、そのため現在広く普及している（特許文献１参照）。
【０００３】
しかして従来は、建築デザイナーや建築士等が、商品カタログや商品見本、さらには施工例などを参考にしてタイルユニットのデザインを作成し、それをタイルメーカーに発注する。
一方、そのタイルユニットを受注したタイルメーカーは、指定されたタイルを指定された配列にして適宜な型パレットに並べ、その型パレット内のタイル同士を連結手段でシート状に連結して製造するようにしていた。
【先行技術文献】
【特許文献】
【０００４】
【特許文献１】実開昭６１−１５３７号公報
【発明の概要】
【発明が解決しようとする課題】
【０００５】
タイルには、外周形状、表面形状、表面色の組合せにより種類が豊富にある。
一方、タイルの貼り方（配列）には、スダレ貼り（図２参照）やレンガ貼り（図６参照）といった複数の態様がある。
このタイルの種類と配列とを組み合わせて、タイル貼りの外装や内装のデザインを決定することになるが、従来は、上記のように建築デザイナーや建築士等が、商品カタログや商品見本、さらには施工例などを参考にしてタイルユニットのデザインを作成するようにしていたため、全てのタイルを検討対象にするには無理があり、また、組合せの変更にも手間が掛かるため、シミュレーションが満足に行えない。したがって、無難なデザインに流れて斬新なデザインが生まれにくく、また、デザインのイメージと実際の仕上がりに開きが生じ易い問題があった。
【０００６】
本発明は、上記に鑑みなされたもので、その目的は、豊富な種類のタイルを十分に検討してデザインすることができるタイルユニットの製造方法を提供することにある。
【課題を解決するための手段】
【０００７】
上記の目的を達成するため本発明は、
目地幅相当の間隔を開けて所定の配列に並べられた所定数のタイルと、
前記所定数のタイルをシート状に連結する連結手段と、からなるタイルユニットの製造方法であって、
外周形状と表面形状と表面色とで特定されるタイルと、そのタイルの前記配列内の位置と、からなるデザイン情報を作成するデザイン工程と、
前記デザイン情報で指定されたタイルを指定された位置に並べて前記連結手段で連結する製造工程と、を有するものであり、
前記デザイン工程は、
コンピュータの画像表示装置の画面に、正面視の外周形状を線図により表したタイル輪郭図によって前記タイルユニットのタイルの配列を表示するシート表示部と、タイルの色付き表面形状の見本又は表面形状と表面色のそれぞれの見本を複数種類一覧表示すると共にそれらから選択可能な一覧表示選択部と、を表示し、
前記シート表示部の前記タイル輪郭図の全てに、前記一覧表示選択部で選択したタイルの表面形状と表面色を表示してデザイン情報を作成するものであるタイルユニットの製造方法を提供する。
【０００８】
また、請求項２に記載したように、前記画像表示装置の画面に、前記タイルユニットを複数シート連結した状態の連結図を表示し得るようにした請求項１記載のタイルユニットの製造方法を提供する。
【０００９】
また、請求項３に記載したように、前記デザイン工程で作成したデザイン情報を前記製造工程の実施主体にインターネット回線を介して送信し得るようにした請求項１又は２記載のタイルユニットの製造方法を提供する。
【発明の効果】
【００１０】
本発明のタイルユニットの製造方法によれば、コンピュータの画像表示装置の画面にシート表示部を設けて、そのシート表示部に正面視の外周形状を線図により表したタイル輪郭図によってタイルユニットのタイルの配列を表示し、そのシート表示部のタイル輪郭図に、同じく画面の一覧表示選択部から選択した表面形状と表面色を表示するようにしたため、タイルの表面形状や表面色の入れ替えが簡単に行える。したがって、納得できるまでシミュレーションを繰り返してデザインすることができる。
また、画面上のタイルユニットは、コンピューターによるデータ処理が行えるため、請求項２に記載したように複数シートを連結した状態を示す連結図を作成して表示すれば、離れて見たときの完成状態をシミュレーションしてよりイメージ通りの仕上がりを実現することができる。
また、画面上のタイルユニットは、コンピューターによるデータ処理が行えるため、請求項３に記載したように、建築デザイナーや建築士などのデザイン工程の実施主体から、タイルメーカーなどの製造工程の実施主体にインターネット回線を介してデザイン情報を送信することができる。したがって、コンピューターとインターネット環境さえあれば、どこででもデザイン工程を実施することが可能であり且つタイルメーカーに瞬時に発注することができる。また、デザイン工程の実施主体と製造工程の実施主体の間で発生し得る発注や製造のミスを少なくすることもできる。
【図面の簡単な説明】
【００１１】
【図１】（ａ）は画像表示装置の画面を示す正面図、（ｂ）は展開した一覧表示選択部を示す正面図、（ｃ）は表示内容が変化したランダムパターン作成部を示す正面図である。
【図２】１シート分のタイルユニットが表示されている状態を示すシート表示部の正面図である。
【図３】４シート分のタイルユニットが縦横に連結表示されている状態を示すシート表示部の正面図である。
【図４】９シート分のタイルユニットが縦横に連結表示されている状態を示すシート表示部の正面図である。
【図５】１６シート分のタイルユニットが縦横に連結表示されている状態を示すシート表示部の正面図である。
【図６】タイルユニットの基本パターンの一例を示すシート表示部の正面図である。
【図７】タイルユニットの基本パターンの一例を示すシート表示部の正面図である。
【図８】タイルユニットの基本パターンの一例を示すシート表示部の正面図である。
【図９】タイルユニットの分解斜視図である。
【発明を実施するための形態】
【００１２】
以下に本発明の実施の形態を図面を参照しつつ説明する。
［タイルユニット］
図９は、タイルユニットＵの一例を示す分解斜視図である。このタイルユニットＵは、目地幅相当の間隔Ｓを縦横に開けて所定の配列に並べられた所定数（実施形態では１８枚）のタイルＴ，Ｔ…と、ばらばらのタイルＴ，Ｔ…を一枚のシート状に連結するクラフト紙製の連結手段Ｐと、からなる。なお、実施形態の連結手段Ｐは、クラフト紙をタイルＴの表面側に糊付けするようになっているが、透明な合成樹脂シートをタイルＴの表面側に剥離可能な接着剤で貼り付けるようにしてもよく、さらには樹脂製のネット等をタイルＴの裏面に接着剤などで貼り付けるようにしてもよい。要するに連結手段Ｐは、ばらばらのタイルＴ，Ｔ…を一枚のシート状に連結することができればよいものであり、特定の構成に限定されない。
【００１３】
［タイルユニットの製造方法］
前記タイルユニットＵの製造方法は、デザイン工程と、製造工程と、からなる。
デザイン工程は、外周形状と、凸凹の割肌面や平滑面というような表面形状と、表面色で特定されるタイルＴと、そのタイルＴの前記配列内の位置と、からなるデザイン情報を作成するものである。
また、製造工程は、前記デザイン工程で作成されたデザイン情報に従い、タイルユニットＵを構成する全てのタイルＴ，Ｔ…を指定された位置に並べて前記連結手段Ｐで連結するものである。
なお、タイルＴにはもちろん裏面もあるが、その裏面には俗に裏足と言われるような剥離防止用の溝や突起が設けられていて装飾的な要素が殆どないことから、敢えてそのような裏面状態を前記デザイン情報に含む必要もなければ、逆に排除する理由もない。
【００１４】
［デザイン工程］
デザイン工程は、デザイナー等の創作を、画像表示装置（図示せず）を備えた周知のコンピュータ（図示せず）で具現化・データ化する方法により行われる。
【００１５】
図１（ａ）は、コンピュータの画像表示装置の画面１の表示の一例であり、タイルＴの正面視の外周形状を線図により表したタイル輪郭図２によって前記タイルユニットＵを表示するシート表示部３と、
タイルＴの色付きの表面形状の見本又は表面形状と表面色のそれぞれの見本を複数種類表示し且つそれらから選択可能な一覧表示選択部４と、
タイルユニットＵを構成するタイルＴの構成枚数と配列と使用可能なタイルの種類とをグループ化した例えば図１、図６〜図８に示した複数の基本パターンをプルダウンメニューで表示すると共に、そのプルダウンメニューから所望の基本パターンを選択し得るようにした基本パターン選択部５と、
その基本パターン選択部５で選択された基本パターンの商品情報を表示する商品情報表示部６が設けられている。
【００１６】
そしてさらに画像表示装置の画面１は、
シート表示部３に表示されているタイルユニットについて、表示されているタイルの配置をランダムに入れ替えるランダムパターン作成部７と、
表示されている基本パターンに対応するサンプルパターン（組合せの例示）の一覧頁にリンクされていて、そのサンプルパターンの一覧から選択されたタイルユニットを前記シート表示部３に表示させるサンプル選択入力部８と、
後述するマイパターン保存部９を使ってメモリに保存したタイルユニットのデザイン情報を、そのメモリから読み出してシート表示部３に表示させるマイパターン読み込み部１０と、
前記一覧表示選択部４で選択したタイルＴの表面形状と表面色をシート表示部３のタイル輪郭図２に反映させる場合に、指定した一つのタイル輪郭図２のみを反映対象とするタイル貼り付けモードと、一つの指定で同種のタイル輪郭図２の全てを反映対象とする入れ替えモードとを選択するモード選択部１１と、
シート表示部３の背景色、つまりタイル輪郭図２，２同士の間の目地相当の隙間の色を選択する目地色選択部１２と、
シート表示部３に表示されたタイルユニットＵに対する直前の操作をキャンセルする戻るボタン１３と、
シート表示部３のタイルユニットを、各タイルがタイル輪郭図２のみで表示されている初期状態に戻すリセットボタン１４と、
後述するシート数選択タグ１５により複数シートのタイルユニットがシート表示部３に表示されている状態で、タイルユニット間の境界を線で表示する境界表示ボタン１６と、
シート表示部３のタイルユニットの見栄えを確認するためのプレビューボタン１７と、
シート表示部３のタイルユニットのデザイン情報を適宜な画像ファイルにして出力するための出力ボタン１８と、
シート表示部３のタイルユニットのデザイン情報をマイパターンとしてメモリに保存するマイパターン保存部９と、
シート表示部３のタイルユニットのデザイン情報を製造工程の実施主体であるタイルメーカーにインターネット回線を介して送信するための送信ボタン１９と、を備えている。
【００１７】
前記シート表示部３は、四角い表示枠２０で囲われており、その表示枠２０の上辺に、シート数（タイルユニット数）を選択するためのシート数選択タグ１５が複数個（実施形態では４個）設けられている。初期設定では「１シート」のシート数選択タグ１５が選択されており、したがってシート表示部３には、図１（ａ）、図２に示したように前記基本パターン選択部５で選択された基本パターンのタイルユニットが一つ表示される。この状態で「４シート」のシート数選択タグ１５を選択すると、図３のように縦横二列で四つのタイルユニットの連結図がシート表示部３に表示され、「９シート」のシート数選択タグ１５を選択すると、図４のように縦横三列で９シートのタイルユニットの連結図がシート表示部３に表示され、「１６シート」のシート数選択タグ１５を選択すると、図５のように縦横四列で１６シートのタイルユニットの連結図がシート表示部３に表示される。
このようにシート数選択タグ１５を使ってシート表示部３の表示を１シートから１６シートまで段階的に切り替え得るようにすれば、タイルユニットの具体的な完成イメージを逐次確認しながらデザインを進めることができる。
【００１８】
［デザイン方法］
次ぎに、上記コンピュータによる具体的なデザイン方法について説明する。
先ず、画像表示装置の初期画面では、図１（ａ）の基本パターン選択部５とマイパターン読み込み部１０のみが入力可能になっているため、例えば基本パターン選択部５を選択する。そうすると、予め設定されている複数の基本パターンの名称がプルダウンメニューで表示されるため、そこから所望の基本パターンを選択する。
【００１９】
具体的には、基本パターンのそれぞれには、タイルの配列とその配列で選択可能な多種のタイルがグループ化されており、例えば、いわゆる４５二丁のタイルをベースにした基本パターンを選択すると、シート表示部３に図１或は図６のようにタイル輪郭図２のみによるタイルユニットが表示されると共に、図１（ａ）の画面１の一覧表示選択部４に選択可能な表面形状の一覧が表示され、さらにこの一覧表示選択部４とその下のランダムパターン作成部７との間に図１（ｂ）のように表面色の一覧表示選択部４が展開される。この二つに分かれた一覧表示選択部４で所望の表面形状と所望の表面色を有するタイルを選択する。
また、いわゆるボーダータイルをベースにした基本パターンを選択した場合には、シート表示部３に図７或は図８のようにタイル輪郭図２のみによるタイルユニットが表示されると共に、図１（ａ）の一覧表示選択部４に選択可能な色付き表面形状の一覧が表示される。ボーダータイルは、前記した４５二丁のタイルに比べて表面形状と表面色の組合せが少ない商品設定になっているため、図１（ａ）の一覧表示選択部４のみで全ての組合せが表示できる。この一覧表示選択部４で所望の表面形状と表面色を有するタイルを選択する。
なお、基本パターンを選択すると、その基本パターンに関する商品情報が画面１の商品情報表示部６に表示される。
【００２０】
次ぎに、画面１のモード選択部１１でタイル貼り付けモードと入れ替えモードの何れかを選択する。初期値ではタイル貼り付けモードになっており、次ぎに入れ替えモードが選択されるまでタイル貼り付けモードが維持される。
このタイル貼り付けモード状態で、シート表示部３の一つのタイル輪郭図２を選択すると、そのタイル輪郭図２に、先に一覧表示選択部４で選択した表面形状と表面色が反映される。なお、次ぎも同じタイルを選択する場合は、そのまま続けて所望のタイル輪郭図２を選択すればよく、違うタイルに変更したい場合のみ一覧表示選択部４に戻って表面形状と表面色を選択し直せばよい。
【００２１】
上記の操作を繰り返して全てのタイル輪郭図２を所望のタイルの表面形状と表面色で埋めれば図２のようにタイルユニットのデザインが完成する。ここでもし、表面形状と表面色が同じである一群のタイルを別の表面形状や表面色に変更したいと考えたときは、一覧表示選択部４で変更候補の表面形状や表面色を選択し、その選択状態のままモード選択部１１で入れ替えモードを選択し、続けてシート表示部３で入れ替え対象のタイル輪郭図２の一つを選択すればよい。これによりそのタイル輪郭図２と同じ表面形状と表面色を有する一群のタイルが、変更候補のタイルに一括して入れ替わる。なお、変更する前のデザインに戻る場合は、画面１の戻るボタン１３で直前の操作をキャンセルすればよいが、変更する前のデザイン情報を画面１の右下隅角部にあるマイパターン保存部９を選択して保存するようにしてもよい。このマイパターン保存部９で保存したデザイン情報は、マイパターン読み込み部１０を選択することでいつでも再現できるため、タイルの入れ替えを幾度か繰り返した後でも戻り得る。
【００２２】
ところで、シート表示部３のタイルユニットのタイル輪郭図２に、一覧表示選択部４で選択したタイルを表示させると、図１（ｃ）に示したようにランダムパターン作成部７に表面形状と表面色で特定されるタイルの例えば「Ａ−１」や「Ｂ−２」等の製品番号と、その製品番号のタイルがタイルユニット全体に占める割合［（同一製品番号のタイル数／タイルユニット全体のタイル数）×１００］（％）が表示され、また、タイルで埋められているタイル輪郭図２のＴＯＴＡＬの割合も同時に表示されるようになっている。そして、そのＴＯＴＡＬの割合が１００％（つまり全てのタイル輪郭図２がタイルで埋まっている状態）になったとき、ランダムパターン作成部７の「ランダムパターンを作成する」ボタンを入力すれば、各タイルの構成割合を保持しつつタイルの配置をランダムに入れ替えることができる。この入れ替えを繰り返すことによって好みのデザインが完成する場合もある。
【００２３】
以上のデザイン工程で完成したデザイン情報は、画面１下方の出力ボタン１８を使って任意形式の画像ファイルとして出力することができ、したがってそれを外部メモリに記録し、その外部メモリを製造工程の実施主体に渡すことによってタイルユニットを発注することができる。
また、画面１の送信ボタン１９には、製造工程の実施主体たるタイルメーカーのメールアドレスが設定されており、その送信ボタン１９を入力することにより、インターネット回線を介してタイルユニットＵのデザイン情報を送信することもできる。
【００２４】
［製造工程］
上記のデザイン工程で作成されたデザイン情報を受け取ったタイルメーカーは、そのデザイン情報をコンピューターで確認し、指定されたタイルＴを指定された配置に並べて連結手段Ｐで連結する作業を行う。この製造工程は、例えば型パレットにタイルＴを並べてその表面に連結手段Ｐたるクラフト紙を糊付けする、というように既存の設備と方法で実施できる。
【００２５】
以上、本発明を実施の形態により説明したが、もちろん本発明は上記実施形態に限定されるものではない。例えば、図示した画面１のレイアウトは自由に変更可能である。
【符号の説明】
【００２６】
１  …画面
２  …タイル輪郭図
３  …シート表示部
４  …一覧表示選択部
Ｕ  …タイルユニット
Ｔ  …タイル
Ｐ  …連結手段
【図１】
2019079095.tif 000003
【図２】
2019079095.tif 000004
【図３】
2019079095.tif 000005
【図４】
2019079095.tif 000006
【図５】
2019079095.tif 000007
【図６】
2019079095.tif 000008
【図７】
2019079095.tif 000009
【図８】
2019079095.tif 000010
【図９】
2019079095.tif 000011